(57)【要約】【課題】始動口への遊技球の入賞に基づいて変動入賞装置内の状態を変換し、どの可動部材が遊技球を変動入賞装置内に導入したかによって特別入賞口への入賞率を変化できるようにして、遊技の興趣を高めた弾球遊技機を提供する。【解決手段】変動入賞装置４内に、遊技球が流下し得る第１流下経路４５および第２流下経路４６と、特別入賞口６２を有する特別入賞口空間４４と、第１流下経路４５を流下する遊技球を特別入賞口空間４４に誘導可能な第１誘導状態変換部材４３ａと、第２流下経路４６を流下する遊技球を特別入賞口空間４４に誘導可能な第２誘導状態変換部材４３ｂとを設け、始動口への入賞に関連して状態変換する誘導状態変換部材４３を選択するための誘導状態変換部材選択手段として機能する遊技制御装置を備えた。【選択図】　　図２
2004073699.tif 000002
【特許請求の範囲】
【請求項１】
遊技盤に取り付けるための取付基板と、前記取付基板の略中央部分に設けられ、前記取付基板の後方に向かって突出し、前面が開口した凹室と、前記取付基板に設けられる複数の可動部材と、前記凹室の所要部位に設けられて、前記可動部材により受け入れられた遊技球が入賞可能な一般入賞口および特別入賞口と、前記可動部材を開閉可能に駆動する可動部材用電気的駆動源とを具備する変動入賞装置と、
遊技球が入賞可能な複数の始動口と、
を前記遊技盤に備え、
遊技球の前記始動口への入賞に基づき、前記変動入賞装置の可動部材を閉状態から開状態へと変更する始動入賞時動作を行い、可動部材により受け入れられた遊技球が前記特別入賞口へ入賞することに基づき、前記始動入賞時動作よりも更に遊技者にとって有利な特別の態様で変動入賞装置の可動部材を開状態に制御する特別遊技状態を発生制御可能な制御手段と、
を備える弾球遊技機において、
前記変動入賞装置は、
前記複数の可動部材のうち、第１可動部材により受け入れられた遊技球が流下し得る第１流下経路と、
前記複数の可動部材のうち、第２可動部材により受け入れられた遊技球が流下し得る第２流下経路と、
前記特別入賞口を有する特別入賞口空間とを備え、
状態変換により遊技球を第１流下経路から特別入賞口空間へ誘導可能な第１誘導状態変換部材を、前記第１流下経路に臨ませた状態で設け、
状態変換により遊技球を第２流下経路から特別入賞口空間へ誘導可能な第２誘導状態変換部材を、前記第２流下経路に臨ませた状態で設け、
前記第１誘導状態変換部材を状態変換可能に駆動する第１誘導状態変換部材用電気的駆動源と、前記第２誘導状態変換部材を状態変換可能に駆動する第２誘導状態変換部材用電気的駆動源とを備え、
前記制御手段は、始動口への入賞に関連して状態変換する誘導状態変換部材を選択するための誘導状態変換部材選択手段を備えることを特徴とする弾球遊技機。
【請求項２】
前記誘導状態変換部材選択手段は、
遊技球の始動口の入賞に基づき、乱数を抽出する乱数抽出手段と、
該乱数抽出手段の抽出結果に基づき、変換する誘導状態変換部材を決定する誘導状態変換部材決定手段とを備えることを特徴とする請求項１に記載の弾球遊技機。
【請求項３】
前記誘導状態変換部材選択手段は、
前記複数の始動口のうち所定の始動口に入賞した際、前記第１誘導状態変換部材と第２誘導状態変換部材との両方を状態変換するように制御を行うことを特徴とする請求項１または請求項２に記載の弾球遊技機。
【請求項４】
前記制御手段は、
前記変動入賞装置の可動部材が開状態へ変換開始後に、前記誘導状態変換部材選択手段により選択された誘導状態変換部材を状態変換する制御を行うことを特徴とする請求項１から請求項３のいずれかに記載の弾球遊技機。
【請求項５】
遊技者に誘導状態変換部材の状態変換を報知するための誘導状態報知装置を備え、
前記制御手段は、遊技球が前記始動口のいずれかに入賞してから、該入賞に関連して誘導状態変換部材を誘導状態に変換するまでの間に、前記誘導状態変換部材選択手段の選択結果として該誘導状態変換部材を誘導状態に変換することを誘導状態報知装置によって報知する制御を行う誘導状態報知制御手段を備えたことを特徴とする請求項１から請求項４のいずれかに記載の弾球遊技機。
【請求項６】
前記誘導状態報知制御手段は、
所定条件の成立に基づき、所定期間内において誘導状態変換部材を誘導状態に変換することを報知可能にする期間内誘導状態報知制御手段を含むことを特徴とする請求項５に記載の弾球遊技機。
【発明の詳細な説明】
【０００１】
【発明の属する技術分野】
本発明は、遊技者にとって不利な状態（賞球を獲得し難い状態）と有利な状態（賞球を獲得し易い状態）とに変換可能な変動入賞装置を備えた弾球遊技機に関し、特に、変動入賞装置の内部状態が変換可能なものに関する。
【０００２】
【従来の技術】
従来の技術を代表的な弾球遊技機であるパチンコ遊技機を例に挙げて説明する。
パチンコ遊技機の中には、所謂羽根物と呼ばれるパチンコ遊技機がある。このパチンコ遊技機は、始動口への遊技球の入賞に基づいて、変動入賞装置の「羽根」と呼ばれる複数の可動部材（可動翼片）を同時に開く補助遊技を行い、可動部材が開いた際に遊技球を変動入賞装置の内部に導入して、該遊技球が特別入賞口（継続入賞口）へ入賞すると特別遊技を行わせるというものである。この特別遊技では、例えば、可動部材が所定回数開閉するまで、或いは所定個の遊技球が変動入賞装置に導入されて入賞するまでの何れか早い方の条件成立に基づいて１ラウンドを規制し、このラウンド中に遊技球が再度特別入賞口に入賞することを条件として次のラウンドに移行（ラウンド更新）する。
【０００３】
【発明が解決しようとする課題】
ところで、上記のような従来のパチンコ遊技機は、遊技球がいずれの可動部材によって変動入賞装置へ導入されても、その後で特別入賞口へ入賞する入賞率に差異がなく、したがって、このようなパチンコ遊技機は、遊技者を長期間惹きつける程の魅力を持たせ難かった。また、このようなパチンコ遊技機は、他のパチンコ遊技機との差別化を図る点で改善の余地がある。
【０００４】
そこで、本発明は、上記の事情に鑑みてなされたものであり、その目的は、始動口への遊技球の入賞に基づいて変動入賞装置内の状態を変換し、どの可動部材が遊技球を変動入賞装置内に導入したかによって特別入賞口への入賞率を変化できるようにして、遊技の興趣を高めることができる弾球遊技機を提供しようとするものである。
【０００５】
【課題を解決するための手段】
本発明は、上記目的を達成するために提案されたものであり、請求項１に記載のものは、遊技盤に取り付けるための取付基板と、前記取付基板の略中央部分に設けられ、前記取付基板の後方に向かって突出し、前面が開口した凹室と、前記取付基板に設けられる複数の可動部材と、前記凹室の所要部位に設けられて、前記可動部材により受け入れられた遊技球が入賞可能な一般入賞口および特別入賞口と、前記可動部材を開閉可能に駆動する可動部材用電気的駆動源とを具備する変動入賞装置と、
遊技球が入賞可能な複数の始動口と、
を前記遊技盤に備え、
遊技球の前記始動口への入賞に基づき、前記変動入賞装置の可動部材を閉状態から開状態へと変更する始動入賞時動作を行い、可動部材により受け入れられた遊技球が前記特別入賞口へ入賞することに基づき、前記始動入賞時動作よりも更に遊技者にとって有利な特別の態様で変動入賞装置の可動部材を開状態に制御する特別遊技状態を発生制御可能な制御手段と、
を備える弾球遊技機において、
前記変動入賞装置は、
前記複数の可動部材のうち、第１可動部材により受け入れられた遊技球が流下し得る第１流下経路と、
前記複数の可動部材のうち、第２可動部材により受け入れられた遊技球が流下し得る第２流下経路と、
前記特別入賞口を有する特別入賞口空間とを備え、
状態変換により遊技球を第１流下経路から特別入賞口空間へ誘導可能な第１誘導状態変換部材を、前記第１流下経路に臨ませた状態で設け、
状態変換により遊技球を第２流下経路から特別入賞口空間へ誘導可能な第２誘導状態変換部材を、前記第２流下経路に臨ませた状態で設け、
前記第１誘導状態変換部材を状態変換可能に駆動する第１誘導状態変換部材用電気的駆動源と、前記第２誘導状態変換部材を状態変換可能に駆動する第２誘導状態変換部材用電気的駆動源とを備え、
前記制御手段は、始動口への入賞に関連して状態変換する誘導状態変換部材を選択するための誘導状態変換部材選択手段を備えることを特徴とする弾球遊技機である。
【０００６】
ここで、「遊技者にとって有利な特別の態様」とは、所謂大当たり動作時のように、通常遊技では実現せず、遊技価値が通常遊技時よりも獲得し易い態様を示す。具体的には、例えば、可動部材の開閉回数を多くして遊技球を変動入賞装置に導入し易くすることで特別入賞口へ入賞する機会を増加したり、あるいは、特別入賞口へ入賞し易いように変動入賞装置内の誘導状態変換部材を変換したりすることである。
【０００７】
請求項２に記載のものは、前記誘導状態変換部材選択手段は、
遊技球の始動口の入賞に基づき、乱数を抽出する乱数抽出手段と、
該乱数抽出手段の抽出結果に基づき、変換する誘導状態変換部材を決定する誘導状態変換部材決定手段とを備えることを特徴とする請求項１に記載の弾球遊技機である。
【０００８】
請求項３に記載のものは、前記誘導状態変換部材選択手段は、
前記複数の始動口のうち所定の始動口に入賞した際、前記第１誘導状態変換部材と第２誘導状態変換部材との両方を状態変換するように制御を行うことを特徴とする請求項１または請求項２に記載の弾球遊技機である。
【０００９】
請求項４に記載のものは、前記制御手段は、
前記変動入賞装置の可動部材が開状態へ変換開始後に、前記誘導状態変換部材選択手段により選択された誘導状態変換部材を状態変換する制御を行うことを特徴とする請求項１から請求項３のいずれかに記載の弾球遊技機である。
【００１０】
請求項５に記載のものは、遊技者に誘導状態変換部材の状態変換を報知するための誘導状態報知装置を備え、
前記制御手段は、遊技球が前記始動口のいずれかに入賞してから、該入賞に関連して誘導状態変換部材を誘導状態に変換するまでの間に、前記誘導状態変換部材選択手段の選択結果として該誘導状態変換部材を誘導状態に変換することを誘導状態報知装置によって報知する制御を行う誘導状態報知制御手段を備えたことを特徴とする請求項１から請求項４のいずれかに記載の弾球遊技機である。
【００１１】
請求項６に記載のものは、前記誘導状態報知制御手段は、
所定条件の成立に基づき、所定期間内において誘導状態変換部材を誘導状態に変換することを報知可能にする期間内誘導状態報知制御手段を含むことを特徴とする請求項５に記載の弾球遊技機である。
【００１２】
【発明の実施の形態】
以下、代表的な弾球遊技機であるパチンコ遊技機を例に挙げて本発明の実施の形態を図面に基づき説明する。図１はパチンコ遊技機の遊技盤の正面図、図２は変動入賞装置の正面図、図３は変動入賞装置の断面図である。
【００１３】
図１に示すように、パチンコ遊技機の遊技盤１は、表面にガイドレール等の区画部材２により区画された遊技領域３を形成し、該遊技領域３内において、ほぼ中央には変動入賞装置４を配設して、該変動入賞装置４の下方には、第１始動口５及び第２始動口６を配設している。また、この遊技領域３内には、この他に、一般入賞具８…、遊技球の流下方向を変える風車９…や障害釘（図示せず）、発光により各種の装飾表示を行うランプ・ＬＥＤ１０…、及び入賞せずに流下した遊技球を回収するアウト口１１が設けられている。なお、第１始動口５、第２始動口６および一般入賞具８は、入賞した遊技球を検出する第１始動口センサ１２、第２始動口センサ１３および一般入賞具センサ１４（図５参照）をそれぞれ備えている。
【００１４】
なお、上記した各始動口５，６は、入賞した遊技球を遊技盤１上に流下させずに回収するタイプとしたが、これに限らず、入賞後も入賞球が遊技盤１上を流下できるように、通過ゲートタイプの始動口としてもよい。
【００１５】
変動入賞装置４は、図２に示すように、遊技盤１の表面に取り付けられる取付基板１６に正面から見て円筒状の開口部１７を開設している。また、この変動入賞装置４は、開口部１７の左右及び下部を囲むようにして開口縁に横Ｃ形状の球侵入防止壁１８を前方に突設するとともに、開口部１７の上方に庇部１９を突設し、さらに後述の可動部材３４，３５および可動部材３４，３５の取付基部により庇部１９の両下端と球侵入防止壁１８の上端との間を塞ぐことで、上記開口部１７の周囲を覆う構成を備えている。このようにして、変動入賞装置４は、可動部材３４，３５が閉状態の時に、遊技盤１の上方から流下してくる遊技球が内部に侵入するのを妨げる構造を有している。そして、この変動入賞装置４の取付基板１６の裏側には、後方からケース２０を取り付けて前面が前記開口部１７となる凹室２１を形成してある（図３参照）。
【００１６】
上記開口部１７の上方の取付基板１６には、上入口２５を設けるとともに、該上入口２５の下縁に上棚板２６を後方へ向けて僅かに下り傾斜させた状態で備えている。そして、この変動入賞装置４は、上入口２５の奥に向かって遊技球が転動可能な入口通路２７を設け、該入口通路２７上の中央に略三角ブロック状の振り分け部材２８を配設して入口通路２７を左右に区画し、さらに該入口通路２７の奥に、左カウントセンサ２９ａと右カウントセンサ２９ｂからなる一対のカウントセンサ２９を上棚板２６の後端縁に臨ませて設けており、変動入賞装置４内に導入した遊技球をカウントセンサ２９が検出して、この検出信号を出力できるように構成されている。
【００１７】
また、変動入賞装置４は、取付基板１６の前面であって上入口２５の左右に一対の羽根状可動部材（可動翼片）３４，３５を、取付基板１６の上部に突設された庇部１９と球侵入防止壁１８の上端との間に配置している。そして各可動部材３４，３５は、遊技盤１に対して垂直な支軸３６，３６を中心に回動可能な状態で支持されている。本実施形態においては、変動入賞装置４は、上入口２５の左側に第１可動部材３４を、右側に第２可動部材３５を備えている。これらの可動部材３４，３５は、各支軸３６，３６の後端に図示しないクランク部材を介して、第１可動部材開放ソレノイド３７および第２可動部材開放ソレノイド３８（本発明の可動部材用電気的駆動源に相当。図５参照）のプランジャを接続している。なお、各可動部材開放ソレノイド３７，３８のプランジャは、スプリングにより伸長方向に付勢されている。
【００１８】
可動部材開放ソレノイド３７，３８が消磁した状態では、スプリングの付勢力によりプランジャは伸びた状態になるので、上記の可動部材３４，３５は、図２に実線で示すように、閉じた状態、すなわち先端を庇部１９の側部に近接あるいは当接して、該先端と庇部１９との間に遊技球の通過可能な空間が設けられるのを防ぎ、凹室２１内に遊技球を受け入れないようにして遊技者にとって不利な状態を形成する。この不利な状態から可動部材開放ソレノイド３７，３８を励磁すると、プランジャがスプリングの付勢力に抗して縮む方向へ直線的に移動し、クランク部材がプランジャの直線運動を回転運動に変換して支軸３６を回転させるので、可動部材３４，３５は、上端を外側に向けて回動する。例えば、両方の可動部材開放ソレノイド３７，３８を励磁すれば、両方の可動部材３４，３５は、図２に点線で示すように、上端を左右外側に向けて回動して逆「ハ」字状に開く。したがって、可動部材３４，３５は、遊技球を変動入賞装置４内に容易に受け入れて、上入口２５や上棚板２６等を通じて凹室２１内の一般入賞口６１や特別入賞口６２（後述）に入賞させ易い状態、すなわち、遊技者にとって有利な状態に変換する。この有利な状態から、可動部材開放ソレノイド３７，３８を再び消磁すると、スプリングの付勢力により支軸３６が戻り回転し、可動部材３４，３５は上端を内側に向けて戻り回動して上記した不利な状態に戻る。
【００１９】
また、変動入賞装置４は、上記した凹室２１の内部に上下２つの円弧状区画部材４１，４２と左右２つの誘導状態変換部材（小可動翼片）４３ａ，４３ｂとを略円環状に連設して、特別入賞口空間４４を内側に区画形成し、該特別入賞口空間４４の左右外側に第１流下経路４５と第２流下経路４６とを形成している。そして、変動入賞装置４は、上記した区画部材４１，４２および誘導状態変換部材４３を球侵入防止壁１８、庇部１９および可動部材３４，３５と同じ程度に前方に突設しており、誘導状態変換部材４３が閉状態の際には、凹室２１に流下してくる遊技球が特別入賞口空間４４に侵入するのを妨げる構造を有している。
【００２０】
第１流下経路４５は、第１可動部材３４側（図中、左側）の凹室２１の側面に沿って円弧状に形成された遊技球通路であり、上流側に左カウントセンサ２９ａを臨ませた状態で入口通路２７と連通している。したがって、入口通路２７を転動する遊技球が左カウントセンサ２９ａを通過して下方に落下すると、第１流下経路４５に流出する。
【００２１】
一方、第２流下経路４６は、第２可動部材３５側（図中、右側）の凹室２１側面に沿って形成された円弧状の遊技球通路であり、上流側に右カウントセンサ２９ｂを臨ませた状態で入口通路２７と連通している。したがって、入口通路２７を転動する遊技球が右カウントセンサ２９ｂを通過して下方に落下すると、第２流下経路４６に流出する。
【００２２】
そして、上記した第１流下経路４５および第２流下経路４６は、上流側および下流側にて連通しており、凹室２１内に環状の遊技球流路を形成している。また、両流下経路４５，４６の下流側の合流箇所においては、一般入賞口（ハズレ穴）５０が凹室２１の底面（凹室２１の奥の面）に開設されている。そして、この一般入賞口５０は、入賞した遊技球を検出するための一般入賞口センサ５１を備えている。本実施形態の変動入賞装置４は、この一般入賞口５０の前方に位置する凹室２１の側面、すなわち凹室２１の側面の最下部を後方へ向けて僅かに下り傾斜させた状態で備えている。したがって、遊技球が第１流下経路４５あるいは第２流下経路４６を流下し、凹室２１内の最下部に達すると、凹室２１側面の最下部を後方に転動して一般入賞口５０に入賞するようになっている。
【００２３】
なお、凹室２１の底面は、入口通路２７との連通箇所（上部）から一般入賞口５０の開設箇所（下部）に向かうに連れて次第に浅くなっており（図３参照）、カウントセンサ２９よりも一般入賞口５０の方が遊技者側に近く、遊技者から見え易い位置に設置されている。したがって、遊技者は、遊技球が一般入賞口５０に入賞する状態をより確実に視認することができる。
【００２４】
また、誘導状態変換部材４３は、前記したように特別入賞口空間４４を囲む部材の一部であり、羽根形状を有して上側区画部材４１の下端と下側区画部材４２との上端との間に配置され、凹室２１の底面に対して垂直な支軸５３，５３を中心に回動可能な状態で支持されている。本実施形態における変動入賞装置４は、前記第１流下経路４５に臨ませた状態で第１可動部材３４側（図中、左側）に第１誘導状態変換部材４３ａを、前記第２流下経路４６に臨ませた状態で第２可動部材３５側（図中、右側）に第２誘導状態変換部材４３ｂを備えている。これらの誘導状態変換部材４３は、前記した可動部材３４，３５と同様に、各支軸５３，５３の後端に図示しないクランク部材を介して、第１誘導状態変換部材開放ソレノイド５５および第２誘導状態変換部材開放ソレノイド５６（本発明の第１誘導状態変換部材用電気的駆動源および第２誘導状態変換部材用電気的駆動源に相当。図５参照）のプランジャを接続している。そして、各誘導状態変換部材開放ソレノイド５５，５６のプランジャは、スプリングにより伸長方向に付勢されている。
【００２５】
誘導状態変換部材開放ソレノイド５５，５６が消磁した状態では、スプリングの付勢力によりプランジャは伸びた状態になるので、誘導状態変換部材４３は、図２に実線で示すように、閉じた状態、すなわち先端を上側区画部材４１の下端に近接して、該先端と上側区画部材４１との間に遊技球の通過可能な空間が設けられるのを防ぎ、特別入賞口空間４４に遊技球を受け入れないようにして遊技者にとって不利な状態を形成する。この不利な状態から誘導状態変換部材開放ソレノイド５５，５６を励磁すると、プランジャがスプリングの付勢力に抗して縮む方向へ直線的に移動し、クランク部材がプランジャの直線運動を回転運動に変換して支軸５３，５３を回転させるので、誘導状態変換部材４３は、上端を外側に向けて回動する。
【００２６】
具体的に説明すると、第１誘導状態変換部材開放ソレノイド５５のみを励磁すれば、第１誘導状態変換部材４３ａは、上端を左方向の外側に向けて回動して開き、先端を凹室２１のうち第１流下経路４５に面する側面に当接する。すると、第１誘導状態変換部材４３ａは、第１流下経路４５を途中で遮断するとともに、第１流下経路４５の上流側と特別入賞口空間４４とを連通状態にする。また、第２誘導状態変換部材開放ソレノイド５６のみを励磁すれば、第２誘導状態変換部材は、上端を右方向の外側に向けて回動して開き、先端を凹室２１のうち第２流下経路４６に面する側面に当接する。すると、この第２誘導状態変換部材は、第２流下経路４６を途中で遮断するとともに、第２流下経路４６の上流側と特別入賞口空間４４とを連通状態にする。そして、両方の誘導状態変換部材開放ソレノイド５５，５６を励磁すれば、両方の誘導状態変換部材４３は、図２に点線で示すように、上端を左右外側に向けて回動して逆「ハ」字状に開き、先端を凹室２１の側面に当接する。すると、第１誘導状態変換部材４３ａは、第１流下経路４５を途中で遮断するとともに、第１流下経路４５の上流側と特別入賞口空間４４とを連通状態にし、第２誘導状態変換部材は、第２流下経路４６を途中で遮断するとともに、第２流下経路４６の上流側と特別入賞口空間４４とを連通状態にする。
【００２７】
このように誘導状態変換部材開放ソレノイド５５，５６を励磁すると、誘導状態変換部材４３は、遊技球を特別入賞口空間４４内に容易に受け入れて、下側区画部材４２の内面や誘導部材６５（後述する）を通じて特別入賞口６２に入賞させ易い状態、すなわち、遊技者にとって有利な状態に変換する。この有利な状態から、誘導状態変換部材開放ソレノイド５５，５６を再び消磁すると、スプリングの付勢力により支軸５３，５３が戻り回転し、誘導状態変換部材４３は上端を内側に向けて戻り回動して上記した不利な状態に戻る。
【００２８】
特別入賞口空間４４は、下側区画部材４２の内面を遊技球が転動する案内棚５８として備えている。この案内棚５８は、最下部となる左右中心の部分を後方に僅かに傾斜させており、最下部に達した遊技球が後方に転動するように構成されている。また、特別入賞口空間４４には、横向き円筒状の窪部５９が最下部において案内棚５８の最下部と面一になるように設けられている。そして、この窪部５９の底面（突き当りの面）には、図２に示すように、一般入賞口（ハズレ穴）６１と特別入賞口（継続入賞口、あるいはＶ入賞口）６２とが開設されている。一般入賞口６１は、後述する誘導部材６５の回転中心に対して右側に位置し、該回転中心に寄って設けられている。一方、特別入賞口６２は、誘導部材６５の回転中心を挟んで一般入賞口６１の反対側（すなわち、上記回転中心の左側）に位置し、窪部５９の内周面寄りに設けられている。なお、一般入賞口６１および特別入賞口６２は、入賞した遊技球を検出する一般入賞口センサ６３および特別入賞口センサ６４（図５参照）をそれぞれ備えている。また、一般入賞口６１および特別入賞口６２への遊技球入賞については、後で詳細に説明する。
【００２９】
そして、上記窪部５９内には、円板状の誘導部材６５が、表面を前方に向けた状態で収納されている。この誘導部材６５は、裏面中心に回転軸６６を案内棚５８上面と略平行に位置するように軸着して回転可能に支持されており、この回転軸６６にステッピングモータ等の誘導部材回動モータ６７の出力軸を接続している。さらに、誘導部材６５の近辺には、誘導部材６５の停止位置を検出可能な誘導部材位置検出センサ６８を備えている（いずれも図５参照）。なお、この誘導部材位置検出センサ６８は、例えば、上記出力軸から突設した位置検出部（図示せず）を検出できるセンサ、具体的には発光部と受光部を備えたフォトセンサ等が好適である。
【００３０】
また、誘導部材６５は外周面から中心に向かって複数（本実施形態では、５箇所）の切欠部７０…を備えている（図４参照）。この切欠部７０…は、誘導部材６５の表面から裏面へ貫通し、遊技球が１個収納可能な空間を有している。そして、切欠部７０…は、誘導部材６５が回転して誘導部材６５の最下部に位置した際には、最下端部（誘導部材６５の外周側端）を前記窪部５９および案内棚５８の最下部後方に位置するように構成されている。したがって、いずれかの切欠部７０…が案内棚５８に最も近づいたときに遊技球が案内棚５８の最下部（球誘導位置５８´）に位置していれば、この遊技球は、後方に転動して窪部５９の側面の最下部に載るとともに切欠部７０…に収納され、窪部５９の底面（奥の面）に当接する。
【００３１】
本実施形態では、複数の切欠部７０…のひとつを特別入賞誘導部７０ａとし、その他の切欠部７０…を一般入賞誘導部７０ｂとしている。特別入賞誘導部７０ａは、一般入賞誘導部７０ｂと比較して、遊技球を収納する空間が小さく、遊技球収納空間の幅が狭い。したがって、特別入賞誘導部７０ａは、一般入賞誘導部７０ｂよりも遊技球を収納し難くなっている。また、特別入賞誘導部７０ａは、誘導部材６５の外周面からの空間の深さが浅いので、後述する誘導部材６５の回転時にも遊技球を誘導部材６５の外周寄りに保持して、誘導部材６５の中心側に移動させない。そして、本実施形態においては、遊技者が遊技中に特別入賞誘導部７０ａの位置を認識し易いように、特別入賞誘導部７０ａを示す台形のマーク７１を誘導部材６５の表面であって特別入賞誘導部７０ａの近くに設けている。例えば、図２においては、台形マーク７１は、短辺を下方に位置して、特別入賞誘導部７０ａがその先に存在することを示している。なお、このマーク７１は、特別入賞誘導部７０ａの位置を示すものであればどのようなものでもよい。
【００３２】
上記のような切欠部７０…を設けて、誘導部材６５を反時計回りに回転すると、一般入賞誘導部７０ｂは、回転中心寄りの位置にて一般入賞口６１と重なる。そして、誘導部材６５の最下部から反時計方向に約９０度位相をずらした位置を通過して、外周側端が上に向き始めると、一般入賞誘導部７０ｂは、上記重合箇所に遊技球が通過可能な程度の開口を形成する。このような一般入賞誘導部７０ｂに遊技球を収納して誘導部材６５を反時計回りに回転すると、遊技球は、窪部５９の底面と側面とに当接したまま一般入賞誘導部７０ｂの内側面に押されて、一般入賞誘導部７０ｂとともに誘導部材６５の回転軸６６周りを公転する。そして、一般入賞誘導部７０ｂの外周側端が上に向き始めると、遊技球は該一般入賞誘導部７０ｂの内部で誘導部材６５の中心に向かって移動する。このとき、遊技球の転動する切欠部７０…の内面は、窪部５９の底面、すなわち一般入賞口６１に向かって下り傾斜しているので、遊技球は、一般入賞誘導部７０ｂの空間と一般入賞口６１との重合箇所に移動して、上記開口を通過し、一般入賞口６１へ向かって転動して入賞する（図４（ａ）参照）。
【００３３】
一方、特別入賞誘導部７０ａは、誘導部材６５の回転中に一般入賞口６１と重なるが、遊技球が通過可能な大きさの開口を形成しない。しかしながら、特別入賞口６２と重なると、特別入賞誘導部７０ａは、この重合箇所に遊技球が通過可能な程度の開口を形成する。このような特別入賞誘導部７０ａに遊技球を収納して誘導部材６５を反時計回りに回転すると、遊技球は、特別入賞誘導部７０ａに収納されたまま公転し、この特別入賞誘導部７０ａと一般入賞口６１とが重合しても一般入賞口６１へ入賞しない（図４（ｂ））。さらに回転を進めて、誘導部材６５の最下部から反時計方向に約２７０度位相をずらした位置に差し掛かる手前で、特別入賞誘導部７０ａが特別入賞口６２に重合すると、遊技球は、特別入賞誘導部７０ａの内面を転動して、重合により形成された開口を通過して特別入賞口６２へ入賞する（図４（ｃ））。
【００３４】
そして、前記した庇部１９には、誘導状態変換部材４３の変換を報知するための表示装置７４（本発明における誘導状態報知装置に相当）が設けられている。この表示装置７４は、例えば、ＬＣＤ（液晶表示器）やドットマトリクス状に複数配列したＬＥＤ等により構成されている。なお、この表示装置７４の表示内容については、誘導状態変換部材４３の動作と合わせて、後で詳細に説明する。
【００３５】
次に、パチンコ遊技機の遊技制御を行う遊技制御装置８０とその制御内容について説明する。図５は、パチンコ遊技機に備えられる制御装置の構成図で、主として、遊技制御装置８０を中心とする制御系統部分をブロック構成図として示したものである。なお、本実施形態における遊技制御装置８０および演出制御装置８１が本発明における制御手段に相当する。
【００３６】
遊技制御装置８０は、遊技を統括的に制御する主制御装置として機能し、図示するように、遊技制御を司るＣＰＵ、遊技制御のためのプログラム等を記憶しているＲＯＭ、および遊技制御時にワークエリアとして利用されるＲＡＭ、インターフェース等から構成される。
【００３７】
このような構成からなる遊技制御装置８０は、各種検出装置（第１始動口センサ１２、第２始動口センサ１３、誘導部材位置検出センサ６８、カウントセンサ２９、一般入賞口センサ５１，６３、特別入賞口センサ６４）からの検出信号を受けて、大当たり遊技等、種々の処理を行う。そして、各種制御装置（演出制御装置８１、排出制御装置（図示せず）等）の他、誘導部材回動モータ６７、可動部材開放ソレノイド３７，３８、誘導状態変換部材開放ソレノイド５５，５６等に指令信号を送信して、遊技を統括的に制御する。
【００３８】
排出制御装置は、遊技制御装置８０からの賞球指令信号または図示しないカード球貸ユニットからの貸球要求に基づいて、払出ユニットの動作を制御し、賞球または貸球の排出を行わせる。
【００３９】
演出制御装置８１は、ＣＰＵ、ＲＯＭ、ＲＡＭ、インターフェース等から構成され、遊技制御装置８０からの装飾制御指令信号（制御データ）に基づいて、ランプ・ＬＥＤ１０…等の装飾発光装置を制御したり、スピーカー８２からの効果音出力を制御したり、あるいは、表示装置７４の表示制御を行う。
【００４０】
なお、遊技制御装置８０から、各種従属制御装置としての排出制御装置、演出制御装置８１等への通信は、遊技制御装置８０からそれら従属制御装置に向かう単方向通信のみが許容されるようになっている。これにより、遊技制御装置８０に従属制御装置側から不正な信号が入力されることを防止することができる。また、本実施形態では、パチンコ遊技機に備えられる制御装置を、主制御装置である遊技制御装置８０と各種従属制御装置とに分割したが、１つの制御装置により全ての制御を行うようにしてもよい。
【００４１】
次に、上記した構成を有する本実施形態の動作について、特に、上記した各始動口５，６に遊技球が入賞した際の動作について説明する。なお、遊技制御装置８０は、誘導部材回動モータ６７を駆動（ＯＮ）して誘導部材６５を反時計回りに回転させている。
【００４２】
発射装置（図示せず）により発射された遊技球は、区画部材２に沿って案内されて遊技領域３の上部に達した後、障害釘や風車９により方向を変えながら遊技領域３内を流下する。この遊技球が一般入賞具８…、第１始動口５および第２始動口６に入賞した場合には所定の賞球が得られ、何れにも入賞しなかった場合には、該遊技球はアウト口１１から回収される。
【００４３】
遊技球が第１始動口５に入賞すると、第１始動口センサ１２が遊技球の入賞を検出し、第２始動口６に入賞すると、第２始動口センサ１３が遊技球の入賞を検出して、各検出信号を遊技制御装置８０に送信する。両始動口センサ１２，１３からの検出信号に基づき、遊技制御装置８０は、可動部材開放ソレノイド３７，３８を励磁（ＯＮ）して（図８参照）、可動部材３４，３５を逆「ハ」字状に開かせる補助遊技を行う。具体的には、遊技制御装置８０は、この補助遊技において、例えば、第１始動口５に遊技球が入賞した場合には、閉状態の可動部材３４，３５を所定時間（例えば０．３秒間）だけ１回開状態に変換し、第２始動口６に遊技球が入賞した場合には、上記した変換動作を２回行う。
【００４４】
そして、遊技制御装置８０は、本発明における誘導状態変換部材選択手段として機能し、図６に示すように、始動口５，６への入賞に基づいて、どの誘導状態変換部材４３を変換するかを決定する処理を行う。まず、遊技制御装置８０は、遊技球が始動口５，６に入賞したかどうかを判断する（Ｓ１）。遊技球が始動口５，６に入賞したと判断した場合には、遊技制御装置８０は、本発明における乱数抽出手段として、乱数を抽出し（Ｓ２）、抽出した乱数がどの誘導状態変換部材４３を開状態へ変換させるための値に設定されているかを、予め設定された設定値に基づいて判定する（Ｓ３）。そして、遊技制御装置８０は、本発明の誘導状態変換部材決定手段として機能して、判定結果により変換させる誘導状態変換部材４３を選択および決定し（Ｓ４）、その後、メインの遊技制御処理に復帰（ＲＥＴ）する。
【００４５】
そして、変換させる誘導状態変換部材４３の選択肢としては、「第１誘導状態変換部材４３ａを選択」、「第２誘導状態変換部材４３ｂを選択」、「両方の誘導状態変換部材４３ａ，４３ｂを選択」、または、「どちらも選択しない」の４パターンが挙げられる。
【００４６】
このように、誘導状態変換部材選択手段としての遊技制御装置８０は、遊技球の始動口５，６への入賞に基づき、乱数を抽出する乱数抽出手段と、該乱数抽出手段の抽出結果に基づき、変換する誘導状態変換部材４３を決定する誘導状態変換部材決定手段とを備えるので、遊技者は、どの誘導状態変換部材４３が状態変換をするかを予想し難い。したがって、遊技者にある特定の誘導状態変換部材４３を狙わせて単調な遊技をさせることなく、興趣の高い遊技を行わせることができる。
【００４７】
始動口５，６への入賞に基づいて変換させる誘導状態変換部材４３が決定したならば、遊技制御装置８０は、演出制御装置８１へ演出制御信号を送信する。演出制御信号を受信した演出制御装置８１は、本発明における誘導状態報知制御手段として機能し、開動作予定の誘導状態変換部材４３の方向を指し示す誘導状態変換報知情報を、表示装置７４の発光態様により表示する制御を行う。例えば、遊技制御装置８０によって第１誘導状態変換部材４３ａの状態変換が決定した場合には、演出制御装置８１は、図７（ａ）に示すように、第１誘導状態変換部材４３ａの方向（図中、左方向）を指示する矢印が第１誘導状態変換部材４３ａ寄り（図中、左寄り）に表示されるように、表示装置７４を発光する。また、第２誘導状態変換部材４３ｂの状態変換が決定した場合には、演出制御装置８１は、図７（ｂ）に示すように、第２誘導状態変換部材４３ｂの方向（図中、右方向）を指示する矢印が第２誘導状態変換部材４３ｂ寄り（図中、右寄り）に表示されるように、表示装置７４を発光する。そして、両方の誘導状態変換部材４３が状態変換される場合には、演出制御装置８１は、図７（ｃ）に示すように、それぞれの誘導状態変換部材４３ａ，４３ｂの方向を向いた矢印を表示装置７４に表示する。
【００４８】
この誘導状態変換報知情報の表示開始のタイミングは、図８に示すように、始動口センサ１２，１３が遊技制御装置８０へ入賞検出信号を送信した後、すなわち遊技球が始動口５，６に入賞した後である。これは、始動口５，６に遊技球が入賞した旨と、指示した誘導状態変換部材４３がこの後開動作する旨とを直ちに遊技者に知らせるためである。また、この誘導状態変換報知情報を表示することで、始動口５，６に入賞してから即座に誘導状態変換部材４３が開動作しなくても、遊技制御装置８０の故障ではないことを遊技者に知らせることができる。
【００４９】
一方、誘導状態変換報知情報の表示終了のタイミングは、誘導状態変換部材４３の開動作開始時、すなわち、誘導状態変換部材開放ソレノイド５５，５６の駆動信号受信時でもよいし、誘導状態変換部材４３が十分に開いたときでもよい。要は、演出制御装置８１は、第１可動部材３４が開閉動作を終了するまでに誘導状態変換報知情報の表示を終了すればよい。なお、本実施形態では、図８に示すように、演出制御装置８１が表示装置７４の表示を終了させたと同時に誘導状態変換部材４３を開動作させている。したがって、遊技制御装置８０は、変動入賞装置４のいずれかの部分に常に動きを持たせて、見ている遊技者を飽きさせないようにすることができる。
【００５０】
上記のように、遊技者に誘導状態変換部材４３の状態変換を報知するための表示装置７４を備え、演出制御装置８１は、遊技球が始動口５，６のいずれかに入賞してから、該入賞に関連して誘導状態変換部材４３を誘導状態に変換するまでの間に、遊技制御装置８０の選択結果として該誘導状態変換部材４３を誘導状態に変換することを表示装置７４によって報知する制御を行う誘導状態報知制御手段を備えたので、遊技者は事前にどの誘導状態変換部材４３が変換するのかを確認することができる。したがって、遊技者は該誘導状態変換部材４３を狙うように遊技球を発射するように打球を調整するようになり、遊技に対して遊技者の技術介入の度合いを増加させることができる。
【００５１】
そして、表示装置７４による誘導状態変換部材４３の報知が終了すると、演出制御装置８１は、図８に示すように、遊技制御装置８０により選択された誘導状態変換部材４３を状態変換するために、対応する誘導状態変換部材開放ソレノイド５５，５６を励磁する制御を行い、所定時間（例えば０．３秒間）に亘って誘導状態変換部材４３を開状態に変換する。なお、本実施形態では、誘導状態変換部材４３の開状態変換時間を可動部材３４，３５の開状態変換時間と同じ長さにして、誘導状態変換部材４３の開動作が可動部材３４，３５の開動作に付随する動作であることを遊技者に印象付けるようにしたが、これに限らない。
【００５２】
このように、制御手段としての遊技制御装置８０は、前記変動入賞装置４の可動部材３４，３５が開状態へ変換開始後に、前記誘導状態変換部材選択手段により選択された誘導状態変換部材４３を状態変換する制御を行うので、可動部材３４，３５によって受け入れられた遊技球が誘導状態変換部材４３の周辺に流下してくるタイミングでこの誘導状態変換部材４３を状態変換することができる。したがって、正規な遊技の下に流下経路４５，４６を流下してきた遊技球のみを誘導状態変換部材４３により特別入賞口空間４４へ導入することができ、不正行為によって変動入賞装置４に入り込んだ遊技球の特別入賞口６２への入賞を防止することができる。
【００５３】
なお、本実施形態においては、遊技制御装置８０は、第２始動口６に遊技球が入賞した場合には、両方の誘導状態変換部材４３ａ，４３ｂが上記した選択処理にて選択されるようになっており、図７（ｃ）に示す報知表示を表示装置７４にて行った後、両誘導状態変換部材開放ソレノイド５５，５６を励磁して、両方の誘導状態変換部材４３ａ，４３ｂを開状態に変換する。このとき、第１および第２誘導状態変換部材４３ａ，４３ｂは、同じタイミングで開状態に変換してもよい。
【００５４】
このように、誘導状態変換部材選択手段としての遊技制御装置８０は、前記複数の始動口５，６のうち所定の始動口（第２始動口６）に入賞した際、前記第１誘導状態変換部材４３ａと第２誘導状態変換部材４３ｂとの両方を状態変換するように制御を行うので、変動入賞装置４内に受け入れられた遊技球が特別入賞口空間４４に導入され易くなり、特別入賞口６２への入賞チャンスを一層拡げることができる。したがって、遊技の興趣を一層高めることができる。
【００５５】
あるいは、例えば第１誘導状態変換部材４３ａを先に開状態にして、その後に第２誘導状態変換部材４３ｂを開状態にしてもよい。このようにタイミングをずらして、両方の誘導状態変換部材４３ａ，４３ｂを開状態に変換するように制御を行えば、同時に２つの誘導状態変換部材４３ａ，４３ｂを開状態に変換させる場合よりも長い時間に亘って誘導状態変換部材４３の動作を見せることができる。したがって、遊技者に対して特別入賞口６２への入賞チャンスの時間が長くなったように印象付けることができ、遊技の興趣の向上を図ることができる。
【００５６】
上記した補助遊技状態によって可動部材３４，３５が開いている間に、遊技球が変動入賞装置４内に導入されると、この遊技球は、特別入賞口６２に入賞するか、あるいは一般入賞口６１に入賞することになる。そして、この遊技球が導入された可動部材と同じ側に位置する誘導状態変換部材４３が開状態であるか閉状態であるかによって、遊技球が特別入賞口６２へ入賞する入賞率、詳しくは、特別入賞口空間４４へ誘導される確率が変化してくる。以下、特別入賞口空間４４への誘導状態による遊技球の挙動を説明する。なお、以下の説明においては、第１可動部材３４および第１誘導状態変換部材４３ａに関する説明、すなわち図２において、変動入賞装置４の左側の両部材に関して説明し、変動入賞装置４の右側に関しては、左側と左右対称の事象となり、殆ど同じであるので説明を省略する。
【００５７】
まず、第１誘導状態変換部材４３ａが閉状態の際に、第１可動部材３４によって遊技球が変動入賞装置４に導入された場合（図９（ａ）参照）について説明する。
【００５８】
開状態の第１可動部材３４上に遊技球が流下してくると、この遊技球は、第１可動部材３４の上面の下り傾斜に沿って上棚板２６まで流下する。上棚板２６に達した遊技球は、後方の入口通路２７を転動しようとする。このとき、遊技球は、振り分け部材２８を乗り越えて右側の入口通路２７を転動する可能性もあるが、高い確率で左側の入口通路２７を転動し、左カウントセンサ２９ａを通過して凹室２１内に落下する。この落下した遊技球は、上側区画部材４１の第１誘導状態変換部材４３ａ寄り（左寄り）の上面に衝突し、高い確率で第１流下経路４５に流入する。この第１流下経路４５は、途中の第１誘導状態変換部材４３ａでは遮断されず、また、特別入賞口空間４４と連通する箇所もない。したがって、第１流下経路４５を流下する遊技球は、特別入賞口空間４４に導入されず、第１流下経路４５の最下端まで流下し、一般入賞口５０に入賞する。このため、遊技球が導入された可動部材３４，３５と同じ側に位置する誘導状態変換部材４３が閉状態であると、遊技球は特別入賞口６２に入賞せず、一般入賞口５０に入賞する。
【００５９】
一方、第１誘導状態変換部材４３ａが開状態の場合（図９（ｂ）参照）には、第１流下経路４５は、途中で開状態の第１誘導状態変換部材４３ａにより遮断されており、且つ遮断箇所よりも上流側を特別入賞口空間４４に連通させている。この状態で遊技球が上入口２５、入口通路２７、カウントセンサ２９を経て、第１流下経路４５に流下すると、遊技球は、第１誘導状態変換部材４３ａの上面に衝突し、上側区画部材４１と下側区画部材４２との間を通過して特別入賞口空間４４に導入される。したがって、遊技球が導入された可動部材３４，３５と同じ側に位置する誘導状態変換部材４３が開状態であると、遊技球は特別入賞口６２に入賞する確率が高くなる。
【００６０】
このようにして、本実施形態の変動入賞装置４は、誘導状態変換部材４３の状態により特別入賞口６２への入賞率を変化させる。そして、遊技制御装置８０の行う処理によりいずれか一方の誘導状態変換部材４３が開状態に変換する場合には、この変動入賞装置４は、遊技球が取り込まれる可動部材３４，３５によって特別入賞口６２への入賞率（Ｖ入賞率）を異ならせるように設定することができる。
【００６１】
そして、特別入賞口空間４４に導入された遊技球は、下側区画部材４２の案内棚５８を転動し、揺動を繰り返しながら案内棚５８の最下部の球誘導位置５８´に到達する。球誘導位置５８´に到達した遊技球は後方に転動し、反時計回りに回転中の誘導部材６５の表面に当接した後で、あるいは直接切欠部７０…に収納される。このとき、一般入賞誘導部７０ｂに遊技球が収納されれば、この遊技球は、誘導部材６５によって公転し、球誘導位置５８´から約９０度回転した後に一般入賞口６１へ入賞する。一方、特別入賞誘導部７０ａに遊技球が収納されれば、遊技球は、一般入賞口６１を通り過ぎて、球誘導位置５８´から約２７０度回転する手前で特別入賞口６２へ入賞する。
【００６２】
そして、遊技球が特別入賞口６２に入賞すると、所謂大当たりとなり、特別入賞口センサ６４が遊技球の入賞を検出して、該検出信号を遊技制御装置８０に送信する。遊技制御装置８０は、この検出信号に基づいて大当たり動作（特別遊技の動作）を行わせるとともに、演出制御装置８１に制御データを送信する。すると、演出制御装置８１は、表示装置７４に、例えば大当たりを意味する「Ｖ」の文字を表示して大当たり動作の開始を遊技者に知らせる。
【００６３】
この大当たり動作において、遊技制御装置８０は、例えば、両可動部材開放ソレノイド３７，３８および両誘導状態変換部材開放ソレノイド５５，５６の励磁、消磁を同時に繰り返し行い、規定に基づいて両可動部材３４，３５および両誘導状態変換部材４３ａ，４３ｂを開閉させて遊技者にとって不利な閉状態と有利な開状態とを交互に変換する。本実施形態では、遊技制御装置８０は、閉状態にある可動部材３４，３５および誘導状態変換部材４３ａ，４３ｂを所定時間（例えば、０．８５秒間）だけ開状態に所定回数（例えば、最大１８回）まで変換する変換動作を行う。このとき、遊技制御装置８０は、可動部材３４，３５の開動作開始から所定時間遅らせて誘導状態変換部材４３の開動作を開始させ、可動部材３４，３５および誘導状態変換部材４３の開状態への変換回数をカウントするとともに、カウントセンサ２９からの検出信号に基づいて導入した遊技球の数をカウントする。また、遊技球のカウント数を表示装置７４に表示する。また、遊技制御装置８０は、誘導部材６５の回転を、特別入賞誘導部７０ａが所定時間に亘って球誘導位置５８´にて一時停止するように、誘導部材回動モータ６７の制御を行い、特別入賞口６２への入賞率を上げる。
【００６４】
そして、上記した可動部材３４，３５および誘導状態変換部材４３の変換動作がそれぞれ所定回数を満了するか、この変換動作の繰り返し中に、所定個（例えば、９個）の遊技球を変動入賞装置４に導入するかの何れか早い方の条件成立までの間、すなわちＶ有効時間内に、遊技球が特別入賞口６２に入賞しなかった場合は、遊技制御装置８０は、第１ラウンドが終了するとともに、大当たり遊技も終了して通常遊技に復帰する。しかしながら、このラウンド中にし、特別入賞口センサ６４からの検出信号が出力されたならば、遊技制御装置８０は、ラウンド更新をし、次回のラウンド（第２ラウンド）に移行する。
【００６５】
そして、上記した大当たり動作が、ラウンド更新しながら繰り返し行われて最終ラウンドまで達し、最終ラウンドが終了すると、大当たり遊技が終了して通常遊技に戻る。
【００６６】
上記した実施形態では、演出制御装置８１は、誘導状態変換部材４３を変換する際には、遊技状態に関係なく表示装置７４に報知表示をするようにしたが、本発明はこれに限定しない。例えば、図１０に示すように、所定条件（報知状態成立条件）の成立に基づき、所定期間内において表示装置７４に誘導状態変換報知情報を表示可能とするようにし、報知状態終了の条件が成立したことに基づいて、表示装置７４における誘導状態変換報知情報の表示を終了するようにしてもよい。
【００６７】
具体的には、報知状態成立条件は、大当たり遊技終了後や、所定の入賞口（例えば、第２始動口６）や一般入賞具８に入賞したときである。また、報知状態終了の成立条件は、可動部材３４，３５の開放回数が所定の回数に達することや、あるいは、報知状態条件成立時から所定時間の間などである。
【００６８】
上記の報知状態成立条件が満たされたと遊技制御装置８０が判断した場合（例えば、第２始動口センサ１３や一般入賞具センサ１４からの検出信号を受信）には、演出制御装置８１は、本発明における期間内誘導状態報知制御手段として機能して報知状態に移行し、誘導状態変換部材４３が始動口入賞等に基づいて状態変換する際に遊技者へ状態変換の報知を行う。そして、報知状態終了条件が満たされると、演出制御装置８１は通常状態に移行し、再び報知状態成立条件が成立するまで誘導状態変換部材４３の状態変換を報知しない。
【００６９】
このように、前記誘導状態報知制御手段としての演出制御装置８１は、所定条件の成立に基づき、所定期間内において誘導状態変換部材４３を誘導状態に変換することを報知可能にするので、より多くの賞球を獲得するために有用な報知情報を得るため、所定条件の成立を狙いながら遊技を行うことができる。したがって、興趣の高い遊技を行わせることができる。
【００７０】
さらに、上記した実施形態においては、図２に示すように、可動部材３４，３５の長さを同じ長さにして、各可動部材３４，３５の開状態における遊技球の導入し易さ、すなわち各可動部材３４，３５の遊技球の拾い易さを同じにしたが、これに限らず、左右の可動部材の長さを異ならせて、遊技球の導入し易さが開状態となる可動部材によって異なるようにしてもよい。
【００７１】
また、上記実施形態では、表示装置７４を本発明における誘導状態報知装置として、視覚的に誘導状態の変換を報知できるようにしたが、これに限定されない。例えば、遊技盤１に設けられた左右のランプ１０（サイドランプ）を本発明の誘導状態報知装置とし、開状態に変換する誘導状態変換部材４３と同じ側のランプを点灯あるいは点滅させることで誘導状態の変換を報知できるようにしてもよい。また、パチンコ遊技機の左右両側に誘導状態報知装置としてのスピーカー（図示せず）を設け、開状態に変換する誘導状態変換部材４３と同じ側のスピーカーから効果音や音声等の音を発生させて、聴覚的に誘導状態の変換を報知できるようにしてもよい。
【００７２】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００７３】
【発明の効果】
以上説明したように、本発明によれば、次の効果を奏する。
すなわち、前記変動入賞装置は、前記複数の可動部材のうち、第１可動部材により受け入れられた遊技球が流下し得る第１流下経路と、前記複数の可動部材のうち、第２可動部材により受け入れられた遊技球が流下し得る第２流下経路と、特別入賞口を有する特別入賞口空間とを備え、状態変換により遊技球を第１流下経路から特別入賞口空間へ誘導可能な第１誘導状態変換部材を、前記第１流下経路に臨ませた状態で設け、状態変換により遊技球を第２流下経路から特別入賞口空間へ誘導可能な第２誘導状態変換部材を、前記第２流下経路に臨ませた状態で設け、前記第１誘導状態変換部材を状態変換可能に駆動する第１誘導状態変換部材用電気的駆動源と、前記第２誘導状態変換部材を状態変換可能に駆動する第２誘導状態変換部材用電気的駆動源とを備え、前記制御手段は、始動口への入賞に関連して状態変換する誘導状態変換部材を選択するための誘導状態変換部材選択手段を備えたので、始動口への遊技球の入賞に基づいて、状態変換する誘導状態変換部材を選択し、遊技球を変動入賞装置内に導入した可動部材を異ならせることで、特別入賞口への入賞率を変化させながら遊技を行うことができる。したがって、遊技の興趣を従来にない態様で向上させることができる。
【図面の簡単な説明】
【図１】パチンコ遊技機の遊技盤の正面図である。
【図２】変動入賞装置の正面図である。
【図３】変動入賞装置の断面図である。
【図４】誘導部材の挙動を説明する図であり、（ａ）は、一般入賞誘導部内の遊技球が一般入賞口へ入賞する状態図、（ｂ）は、特別入賞誘導部内の遊技球が一般入賞口を通過する状態図、（ｃ）は、特別入賞誘導部内の遊技球が特別入賞口へ入賞する状態図である。
【図５】制御系の構成図で、主に、遊技制御装置と演出制御装置の説明に供するブロック構成図である。
【図６】誘導状態変換部材に関する誘導状態決定処理のフローチャートである。
【図７】表示装置に誘導状態変換報知情報を表示した状態図であり、（ａ）は第１誘導状態変換部材の開動作を報知した図、（ｂ）は第２誘導状態変換部材の開動作を報知した図、（ｃ）は第１誘導状態変換部材および第２誘導状態変換部材の開動作を報知した図である。
【図８】始動口センサ、可動部材開放ソレノイド、表示装置（誘導状態報知装置）および誘導状態変換部材開放ソレノイドのタイムチャートである。
【図９】変動入賞装置内の遊技球の流下状態を示す説明図であり、（ａ）は、誘導状態変換部材を閉状態にした場合の説明図であり、（ｂ）は、誘導状態変換部材を開状態に変換した場合の説明図である。
【図１０】誘導状態変換報知情報を報知しない通常状態と、誘導状態変換報知情報を報知可能な報知状態との関係を示す説明図である。
【符号の説明】
１　遊技盤
２　区画部材
３　遊技領域
４　変動入賞装置
５　第１始動口
６　第２始動口
８　一般入賞具
９　風車
１０　ランプ・ＬＥＤ
１１　アウト口
１２　第１始動口センサ
１３　第２始動口センサ
１４　一般入賞具センサ
１６　取付基板
１７　開口部
１８　球侵入防止壁
１９　庇部
２０　ケース
２１　凹室
２５　上入口
２６　上棚板
２７　入口通路
２８　振り分け部材
２９　カウントセンサ
２９ａ　左カウントセンサ
２９ｂ　右カウントセンサ
３４　第１可動翼片（左側）
３５　第２可動翼片（右側）
３６　支軸
３７　第１可動翼片開放ソレノイド
３８　第２可動翼片開放ソレノイド
４１　上側区画部材
４２　下側区画部材
４３　誘導状態変換部材
４３ａ　第１誘導状態変換部材（左側）
４３ｂ　第２誘導状態変換部材（右側）
４４　特別入賞口空間
４５　第１流下経路
４６　第２流下経路
５０　一般入賞口
５１　一般入賞口センサ
５３　支軸
５５　第１誘導状態変換部材開放ソレノイド
５６　第２誘導状態変換部材開放ソレノイド
５８　案内棚
５８´　球誘導位置
５９　窪部
６１　一般入賞口
６２　特別入賞口
６３　一般入賞口センサ
６４　特別入賞口センサ
６５　誘導部材
６６　回転軸
６７　誘導部材回動モータ
６８　誘導部材位置検出センサ
７０　切欠部
７０ａ　特別入賞誘導部
７０ｂ　一般入賞誘導部
７１　マーク
７４　表示装置
８０　遊技制御装置
８１　演出制御装置
８２　スピーカー
【図１】
2004073699.tif 000003
【図２】
2004073699.tif 000004
【図３】
2004073699.tif 000005
【図４】
2004073699.tif 000006
【図５】
2004073699.tif 000007
【図６】
2004073699.tif 000008
【図７】
2004073699.tif 000009
【図８】
2004073699.tif 000010
【図９】
2004073699.tif 000011
【図１０】
2004073699.tif 000012
【手続補正書】
【提出日】平成15年11月25日(2003.11.25)
【手続補正１】
【補正対象書類名】明細書
【補正対象項目名】００３２
【補正方法】変更
【補正の内容】
【００３２】
上記のような切欠部７０…を設けて、誘導部材６５を反時計回りに回転すると、一般入賞誘導部７０ｂは、回転中心寄りの位置にて一般入賞口６１と重なる。そして、誘導部材６５の最下部から反時計方向に約９０度位相をずらした位置を通過して、外周側端が上に向き始めると、一般入賞誘導部７０ｂは、上記重合箇所に遊技球が通過可能な程度の開口を形成する。このような一般入賞誘導部７０ｂに遊技球を収納して誘導部材６５を反時計回りに回転すると、遊技球は、窪部５９の底面と側面とに当接したまま一般入賞誘導部７０ｂの内側面に押されて、一般入賞誘導部７０ｂとともに誘導部材６５の回転軸６６周りを回転する。そして、一般入賞誘導部７０ｂの外周側端が上に向き始めると、遊技球は該一般入賞誘導部７０ｂの内部で誘導部材６５の中心に向かって移動する。このとき、遊技球の転動する切欠部７０…の内面は、窪部５９の底面、すなわち一般入賞口６１に向かって下り傾斜しているので、遊技球は、一般入賞誘導部７０ｂの空間と一般入賞口６１との重合箇所に移動して、上記開口を通過し、一般入賞口６１へ向かって転動して入賞する（図４（ａ）参照）。


【手続補正２】
【補正対象書類名】明細書
【補正対象項目名】００３３
【補正方法】変更
【補正の内容】
【００３３】
一方、特別入賞誘導部７０ａは、誘導部材６５の回転中に一般入賞口６１と重なるが、遊技球が通過可能な大きさの開口を形成しない。しかしながら、特別入賞口６２と重なると、特別入賞誘導部７０ａは、この重合箇所に遊技球が通過可能な程度の開口を形成する。このような特別入賞誘導部７０ａに遊技球を収納して誘導部材６５を反時計回りに回転すると、遊技球は、特別入賞誘導部７０ａに収納されたまま回転し、この特別入賞誘導部７０ａと一般入賞口６１とが重合しても一般入賞口６１へ入賞しない（図４（ｂ））。さらに回転を進めて、誘導部材６５の最下部から反時計方向に約２７０度位相をずらした位置に差し掛かる手前で、特別入賞誘導部７０ａが特別入賞口６２に重合すると、遊技球は、特別入賞誘導部７０ａの内面を転動して、重合により形成された開口を通過して特別入賞口６２へ入賞する（図４（ｃ））。


【手続補正３】
【補正対象書類名】明細書
【補正対象項目名】００４７
【補正方法】変更
【補正の内容】
【００４７】
始動口５，６への入賞に基づいて変換させる誘導状態変換部材４３が決定したならば、遊技制御装置８０は、演出制御装置８１へ演出制御信号を送信する。演出制御信号を受信した演出制御装置８１は、本発明における誘導状態報知制御手段として機能し、開動作予定の誘導状態変換部材４３の方向を指し示す誘導状態変換報知情報を、表示装置７４の発光態様により表示する制御を行う。例えば、遊技制御装置８０によって第１誘導状態変換部材４３ａの状態変換が決定した場合には、演出制御装置８１は、図７（ｂ）に示すように、第１誘導状態変換部材４３ａの方向（図中、左方向）を指示する矢印が第１誘導状態変換部材４３ａ寄り（図中、左寄り）に表示されるように、表示装置７４を発光する。また、第２誘導状態変換部材４３ｂの状態変換が決定した場合には、演出制御装置８１は、図７（ａ）に示すように、第２誘導状態変換部材４３ｂの方向（図中、右方向）を指示する矢印が第２誘導状態変換部材４３ｂ寄り（図中、右寄り）に表示されるように、表示装置７４を発光する。そして、両方の誘導状態変換部材４３が状態変換される場合には、演出制御装置８１は、図７（ｃ）に示すように、それぞれの誘導状態変換部材４３ａ，４３ｂの方向を向いた矢印を表示装置７４に表示する。


【手続補正４】
【補正対象書類名】明細書
【補正対象項目名】００６１
【補正方法】変更
【補正の内容】
【００６１】
そして、特別入賞口空間４４に導入された遊技球は、下側区画部材４２の案内棚５８を転動し、揺動を繰り返しながら案内棚５８の最下部の球誘導位置５８´に到達する。球誘導位置５８´に到達した遊技球は後方に転動し、反時計回りに回転中の誘導部材６５の表面に当接した後で、あるいは直接切欠部７０…に収納される。このとき、一般入賞誘導部７０ｂに遊技球が収納されれば、この遊技球は、誘導部材６５によって回転し、球誘導位置５８´から約９０度回転した後に一般入賞口６１へ入賞する。一方、特別入賞誘導部７０ａに遊技球が収納されれば、遊技球は、一般入賞口６１を通り過ぎて、球誘導位置５８´から約２７０度回転する手前で特別入賞口６２へ入賞する。


【手続補正５】
【補正対象書類名】明細書
【補正対象項目名】００６４
【補正方法】変更
【補正の内容】
【００６４】
そして、上記した可動部材３４，３５および誘導状態変換部材４３の変換動作がそれぞれ所定回数を満了するか、この変換動作の繰り返し中に、所定個（例えば、９個）の遊技球を変動入賞装置４に導入するかの何れか早い方の条件成立までの間、すなわちＶ有効時間内に、遊技球が特別入賞口６２に入賞しなかった場合は、遊技制御装置８０は、第１ラウンドが終了するとともに、大当たり遊技も終了して通常遊技に復帰する。しかしながら、このラウンド中に、特別入賞口センサ６４からの検出信号が出力されたならば、遊技制御装置８０は、ラウンド更新をし、次回のラウンド（第２ラウンド）に移行する。